(57)【特許請求の範囲】
【請求項１】
第１のサンプリングレートで第１の同期圧縮されたビットストリームフレームのデータを、第２のサンプリングレートで第２の同期圧縮されたビットストリームフレームのデータに変換する方法であって、
該方法は、
該第１の圧縮されたビットストリームフレームに対するフォーマットを決定することであって、該第１の圧縮されたビットストリームフレームは、フレームの長さを有し、該第１の圧縮されたビットストリームフレームは、プリアンブル部分とペイロードの長さを有するペイロード部分とを有するデータバースト部分と、スタッフィングの長さを有するスタッフィング部分とを含む、ことと、
該フォーマットを決定したことに応答して、該スタッフィング部分をゼロスタッフィングすることと
を包含する、方法。
【発明の詳細な説明】
【技術分野】
【０００１】
（本発明の分野）
本発明は、概してデータ通信の分野に関する。特に、本発明は圧縮されたビットストリームを利用するデータ通信システムに関する。
【背景技術】
【０００２】
（従来技術）
家庭用ビデオおよびオーディオ電化製品コンポーネントシステムの複雑さは、速いペースで高まっている。コンパクトディスク（「ＣＤ」）、レーザーディスク、デジタルビデオディスクまたはデジタル汎用ディスク（「ＤＶＤ」）、ミニディスクなどのシステムは、現在一般的である。結果として、現代の流行は、これら全てのシステムをホームシアターおよび自動車のエンターテイメントシステムに組み込むことである。
【０００３】
概して、現在のＣＤおよびＤＶＤチップセットは、ＩＳＯ／ＩＥＣ６０９５８（すなわち、線形のパルスコード変調（「ＰＣＭ」））標準およびＩＳＯ／ＩＥＣ６１９３７（すなわち非線形のＰＣＭ）標準に従って、オーディオをデータのビットストリームで出力するＳｏｎｙ／Ｐｈｉｌｉｐｓ  Ｄｅｇｉｔａｌ  Ｉｎｔｅｒｆａｃｅ（「Ｓ／ＰＤＦＩ」）を提供する。典型的には、Ｄｏｌｂｙ  Ｄｉｇｉｔａｌ（Ｒ）（ＡＣ−３）、ＤＴＳ（Ｒ）、ＭＬＰ（Ｒ）、ＭＰ３（Ｒ）、ＭＰＥＧ  ＩＩ（Ｒ）、ＭＰＥＧ  ＩＩ−ＡＡＣ（Ｒ）などのような圧縮された多チャンネルオーディオビットストリームは、ＩＳＯ／ＩＥＣ６１９３７に従ってフォーマットされ、Ｓ／ＰＤＩＦの上を通って外部オーディオデコーダへと伝えられる。データのビットストリームは、最初のサンプリングレート（「ｆｓａｍｐｌｅ」）の６４倍（非常に低いビットレートには１２８倍）のシンボル周波数を用いて２段階暗号化される。Ｓ／ＰＤＩＦ受信機は、典型的にビットストリームを連続追跡し、同時に、データのビットストリームをデコードするためにｆｓａｍｐｌｅを発生する。最初のビットストリームのサンプリング周波数は、８〜１９２ｋＨｚの範囲を包含し得る（例えば、ＣＤは典型的に４４．１ｋＨｚ、ＤＶＤ−Ｖは典型的に４８ｋＨｚ、ＤＶＤ−Ａは典型的に９６ｋＨｚなど。）。
【０００４】
マルチメディアネットワークは、ＣＤおよびＤＶＤ型のコンポーネントを、現代的なホームシアターおよび自動エンターテイメントシステムに統合するために利用され得る。残念ながら、多くのマルチメディアネットワークは、例えばエンコードされた音源とは異なる４４．１ｋＨｚの一定したレートで、同期的に動作する。デジタルオーディオを（ＣＤまたはＤＶＤのような）デジタル源から（デコーディング振幅器のような）デスティネーションへ同期チャンネルの上を伝送するために、オーディオサンプリングレート（例えば、ＤＶＤには４８ｋＨｚ）は、マルチメディアネットワークサンプリングレート（４４．１ｋＨｚ）に適用される必要がある。２つのサンプリングレートを適用する以前の手法は、サンプリングレートがオーディオを変換することを含む。しかしながら、圧縮された多重チャンネルオーディオはパルスコード変調（「ＰＣＭ」）ではなくビットストリームであったので、この手法はすぐに適用されることができない。オーディオは、まず典型的に５．１ＰＣＭチャンネルにデコードされる必要があり、それから、マルチメディアネットワーク上にオーディオを送る前に、サンプルレートの変換が適用され得る。しかしながら、デコードされたオーディオは、圧縮されたビットストリームよりも相当多くの帯域幅を占める。それゆえ、２つのサンプリングレートを適用することのできるシステムが必要となる。
【発明の開示】
【課題を解決するための手段】
【０００５】
（要旨）
本発明は、第１のサンプリングレートにおける第１の同期圧縮されたビットストリームデータフレームを、第２のサンプリングレートにおける第２の同期圧縮されたビットストリームデータフレームに変換することのできるビットストリーム変換器を提供する。そのようなビットストリーム変換器は、第１のサンプリングレートにおける第１の同期圧縮されたビットストリームフレームを、第２のサンプリングレートにおける第２の同期圧縮されたビットストリームデータフレームに変換するための処理を実行するシステム構築を利用し得る。その処理は、第１の圧縮されたビットストリームフレーム用のフォーマットを決定することを含み得る。第１の圧縮されたビットストリームフレームは、フレームの長さを有し得、データバースト部分およびデータ部分を含み得る。データバースト部分は、プリアンブル部分およびをペイロードの長さ含むペイロード部分を有し得、スタッフィング部分はスタッフィングの長さを有し得る。その処理はまた、特定のフォーマットに応答して、スタッフィング部分がゼロスタッフィングであることを含み得る。
【０００６】
ビットストリーム変換器アーキテクチャは、ペイロード長さ検出器と信号通信するペイロード長さ検出器およびゼロスタッフィング装置を含み得る。ゼロスタッフィング装置は、ペイロードの長さを検出するペイロード長さ検出器に応答して、スタフィング部分をゼロスタッフィングにすることができる。
【０００７】
本発明はまた、ゼロスタッフィングを有する第１のサンプリングレートにおけるデータの第１の同期圧縮されたビットストリームフレームを、第２のサンプリングレートにおけるデータの第２の同期圧縮されたビットストリームフレームに変換するための逆ビットストリーム変換器を提供する。ビットストリーム変換器は、同期化装置、同期化装置と信号通信するフォーマット検出器、およびフォーマット検出器と信号通信するゼロスタッフィング除去装置を含み得る。フォーマット検出器は、データの第１の同期圧縮されたビットストリームフレーム用のフォーマットを決定し得る。
【０００８】
本発明の他のシステム、方法、機能、および利点は、以下の図および詳細な記述を検討した上で当業者に明らかとなる。全てのそのようなさらなるシステム、方法、機能、および利点は、本明細書中に含まれ、本発明の範囲であり、添付の請求項によって保護されることが意図される。
【０００９】
図中のコンポーネントは、必ずしも一定の縮尺ではなく、重点は、代わりに本発明の原理を示すことに置かれている。図中で、同じの参照番号は、異なる方向全体にわたって対応する部品を指定する。
（詳細な記述）
図１は、ビットストリーム変換システム１０２を含むマルチメディアデータ通信システム１００を示す。ビットストリーム変換システム１０２は、ソース１０６およびネットワーク１０８と信号通信するビットストリーム変換器１０４を含み得る。逆ビットストリーム変換器１１０は、（マルチメディアネットワークのような）ネットワーク１０８およびデコーダ１１２と信号通信し得る。
【００１０】
ソース１０６は、コンパクトディスク（「ＣＤ」）または派生的製品、ミニディスクまたは派生的製品、デジタルビデオディスクまたはデジタル汎用ディスク（「ＤＶＤ」）あるいは派生的製品、または他の等価タイプのソースであり得る。ネットワーク１０８は、Ｓ／ＰＤＩＦソースとは異なるクロック（すなわち、クロックマスターである）を提供する、どのリンクまたはネットワーク（無線または物理的リンク）でもあり得る。
【００１１】
ビットストリーム変換システム１０２は、ビットストリーム変換器１０４内のオーディ
オ情報を変えることなく、ソース１０６からのデータの圧縮されたビットストリームを、ネットワーク１０８のサンプリングレート（伝送レートの名でも公知である）に一致するように変換する。逆ビットストリーム変換器１１０は、それから変換されたデータの圧縮されたビットストリームをネットワーク１０８から受信し、最初のサンプリング周波数ｆｓａｍｐｌｅ１１４を決定し、ソース１０６によって生成されたデータのビットストリームの複製であるデータの新しいビットストリーム１１６を出力する。データの新しいビットストリーム１１６は、デコーダ１１２に入力され、デコーダ１１２は、信号パス１２０を介して受信機へ送信され得る別のパルスコード化された変調（「ＰＣＭ」）チャンネルを生成するデータの新しいビットストリーム１１６をデコードする。
【００１２】
図２は、ビットストリーム２００の例示的なフォーマットを図示するブロック図である。ビットストリーム２００は、多数のフレーム２０２を含み得る。それぞれのフレーム２０２は、データバースト部分２０４およびスタッフィング部分２０６のようなサブフレームを含み得る。データバースト部分は、ブレアンブルおよびペイロード部分２０８を含み得る。プリアンブル部分は、Ｐａ２１０、Ｐｂ２１２、Ｐｃ２１４およびＰｄ２１６のようなヘッダー情報を含み得る。Ｐａは０ｘＦ８７２に等しくてもよいし、Ｐｂは０ｘ４Ｅ１Ｆに等しくてもよい。ＰａおよびＰｂの両方は、データバーストの始まりを指す同期化ワードを表し、サンプリングレートｆｓａｍｐｌｅを獲得するために利用され得る。Ｐｃは、バースト情報を表し、ビットストリーム中のデータのタイプ、および受信機（図示されていない）用のいくらかの情報および／または制御を指す。Ｐｄは、ビット内のバーストペイロードの長さを表す。フレーム２０２は、期間Ｔｐｅｒｉｏｄ２１８を有する。
【００１３】
実施形態として、ネットワーク１０８がＣＤオーディオ信号を送信するように指定されている場合、ネットワーク１０８は、約４４．１ｋＨｚのサンプリング周波数ｆｓａｍｐｌｅで動作し得、４４．１ｋＨｚで２つのチャンネル線を有するＰＣＭ信号を送信するように指定され得る。ソース１０６が、ＣＤの代わりにＤＶＤである場合、ソース１０６は、多重チャンネルオーディオ信号を含むデータのビットストリームを送信し得る。これらの多重チャンネルオーディオ信号は、それらの信号の送信レートが等価の２チャンネルＰＣＭバージョンよりも低いように圧縮され得る。この方法論において、多重チャンネルオーディオ信号は、リニアステレオＰＣＭの同じチャンネル帯域幅以下あるいはそれに等しい帯域幅を利用して送信され得る。結果として、ＤＶＤ信号のペイロード部分のデータの長さは、ＣＤ信号のペイロード部分の等価のデータの長さよりも短くなる。それゆえ、ＤＶＤ信号とＣＤ信号との間で同じ送信信号期間Ｔｐｅｒｉｏｄ２１８を維持するためには、より短いペイロード部分２０８を補うために、スタッフィング部分２０６の長さを拡張するようにゼロスタッフィングが利用され得る。
【００１４】
例えば、ＩＥＣ６１９３７は、どのように非線形ＰＣＭ（圧縮されたオーディオ）がＳ／ＰＤＩＦ上を送信されるかを特定する。Ｓ／ＰＤＩＦは、非間接的な２段階コード化されたリンクで、ソース１０６とデスティネーションとの間にハンドシェークはない。圧縮されたオーディオフレームは、常に一定数のサンプル（Ｄｏｌｂｙ  Ｄｉｇｉｔａｌ（Ｒ）ＡＣ−３には１５３６）を表す。圧縮率に従って、実際のデータバーストは、短く（すなわち、高い圧縮率）、あるいは長く（すなわち、低い圧縮率）なり得る。しかしながら、Ｓ／ＰＤＩＦ内ではハンドシェークがないので、処理は、次のデータバーストが送られる前に、この実施形態においては１５３６ｘ（６４Ｘサンプリング周波数）クロック期間であるデータフレームを記録する。ペイロードは、１５３６ｘ（６４Ｘｆｓａｍｐｌｅ）よりも低いので、残りはゼロビット（「ゼロスタッフィング」）で満たされる。
【００１５】
ゼロスタッフィングを減少および／または伸展することによって、バーストペイロードは、ペイロードに影響を及ぼすことなく、異なるデータレートで伝送され得る。典型的なＤｏｌｂｙ  Ｄｉｇｉｔａｌ（Ｒ）ビットストリームにおいて、サンプリング周波数は４
８ｋＨｚであり、圧縮率は４４８ｋｂｐｓである。１つの圧縮されたＤｏｌｂｙ  Ｄｉｇｉｔａｌ（Ｒ）フレームは、常に１５３６サンプルを表す。２つのデータバースト間の最初の繰り返し率は、それゆえ、１５３６／４８ｋＨｚ＝３２ｍｓである。ネットワークが４４．１ｋＨｚで動作している場合、いずれの情報（１４１１．２／４４．１ｋＨｚ＝３２ｍｓ）も喪失しないようにするため、繰り返し率は、１４１１．２に同じく減少される必要がある。その結果として、ゼロスタッフィングの量は、１２４．８のＩＥＣ  ６０９５８／６１９３７フレーム減少されなければならない。１４１１．２は有理数であるので、目標は、１４１１．２の平均データ率が尊重されるように、４つの連続するバーストペイロードのスタッフィングを１２５フレーム（１４１１）、第５のバーストペイロードを１２４つのＩＥＣ  ６０９５８／６１９３７フレーム（１４１２）減少することである。
【００１６】
この実施形態において、最初のフレーム繰り返し率は３２ｍｓ（バーストペイロードおよびスタッフィング）である。しかしながら、ソースクロック（例えば、４８ｋＨｚ）よりも低いネットワーククロック（例えば、４４．１ｋＨｚ）のために、次のフレームを開始する前に、より少なく伝送される必要がある。それゆえ、ゼロの量はペイロードに影響を及ぼさないので、ゼロの量は減少されなければならない。減少量は、４８／４４．１の関係によって表される。この関係は整数ではないので、閏年の修正に類似する手法が適用される。ここで、平均フレーム率が３２ｍｓにとどまるように、第５フレーム毎にわずかに長い。ソースがネットワークよりも低いｆｓａｍｐｌｅ（例えば３２ｋＨｚ）である場合、ゼロの量は対応して増加（伸展）されなければならない。
【００１７】
他のフォーマットにとって、圧縮は比較的低くあり得る。例えば、ＤＴＳフォーマットは、２つのバーストペイロード間に、利用可能な６つのＩＥＣ  ６０９５８／６１９３７ゼロフレームを有する。これは、４８ｋＨｚから４４．１ｋＨｚへのビットストリーム変換に必要とされる数よりも少ない。それゆえ、この実施形態において、第２のステレオ伝送チャンネルは、４４．１ｋＨｚで全ての情報を伝送するために利用され得る（ＤＴＳ  ４８ｋＨｚ、ビットレート＝１５０９．７５ｋｂｐｓと仮定する）。以下の表は、いくつかの典型的な実施形態を要約する。
【００１８】
【表１】
0004457125.tif 000002
図３は、ビットストリーム変換器１０４の例示的な実施を図示するブロック図である。ビットストリーム変換器１０４は、同期化装置３００、周波数検出器３０２、ペイロード長さ検出器３０４、ゼロスタッフィング装置３０６およびカウンター３０８を含み得る。同期化装置３００は、ソース１０６を有する、信号パス３１０を介する信号通信内にある。同期化装置３００はまた、周波数検出器３０２およびカウンター３０８を有する信号通信内にある。周波数検出器３０２は、同期化装置３００とペイロード長さ検出器３０４との両方を有する信号通信内にある。ゼロスタッフィング装置３０６は、ペイロード長さ検
出器３０４、カウンター３０８およびネットワーク１０８を有する、信号パス３１２を介する信号通信内にある。カウンター３０８は、モジュロＮカウンター（この場合、Ｎ＝５）であり得る。
【００１９】
動作中、同期化装置３００（「ＳＹＮＣ」の名でも公知である）は、新しいバーストペイロードのプリアンブルＰａ、Ｐｂ、ＰｃおよびＰｄを識別する。ＳＹＮＣは、ビットストリームをプリアンブルＰａおよびＰｂと比較し、一致が見出された場合、ゼロスタッフィング装置３０６において、正確なゼロスタッフィング変更のためにＳＹＮＣモジュロＮ（ここではＮ＝５）カウンターを始動させる。Ｐｃは、エンコードのタイプを識別するように作用し得る。ＳＹＮＣはＰｃを読み取り、周波数検出器３０２はサンプリング周波数を検出し、ゼロスタッフィング装置３０６によってゼロスタッフィングを変更するために、ペイロード長さ検出器によって（Ｐｄを読み取ることから）、ペイロードの長さが決定される。この方法論はまた、どのように多くのネットワークチャンネルが平行に割当てられる必要があるかを決定し得る。
【００２０】
図４は、逆ビットストリーム変換器１１０の例示的な実施を図示するブロック図である。逆ビットストリーム変換器１１０は、同期化装置４００、フォーマット検出器４０２、周波数検出器４０４およびフェイズロックループ（「ＰＬＬ」）４０６を含み得る。同期化装置４００は、ネットワーク１０８、フォーマット検出器４０２および周波数検出器４０４を有する信号通信内にある。周波数検出器４０４は、ＰＬＬ４０６およびデコーダ１１２を有する信号通信内にある。
【００２１】
動作中、逆ビットストリーム変換器１１０は最初のビットストリーム情報を抽出し、同時に最初のサンプリング周波数１１４を発生するように、ＰＬＬ４０６を始動する。例えば、ネットワーククロック４２０が４４．１ｋＨｚで動作していても、周波数検出器４０４が最初のビットストリームが４８ｋＨｚであると検出する場合、ＰＬＬ４０６は、デコーダ１１２によって必要とされる４８ｋＨｚを回復するように、ネットワーククロック４２０および周波数検出器４０４によって駆動される。デコーダ１２は、信号パス１２０を介して信号を発生し、出力するために適切にオーディオをデコードするように、フォーマット検出器４０２および周波数検出器４０４からパラメーターを用いる。
【００２２】
制御器（図示されていない）は、ビットストリーム変換器１０４および逆ビットストリーム変換器１１０の動作を制御するために利用され得る。制御器は、ソフトウエア、ハードウエア（コンピューター、プロセッサ、マイクロ制御器または等価のもの）またはハードウエアとソフトウエアとの組み合わせにおいて選択的に実施される制御デバイスのいずれのタイプでもあり得る。制御器は、任意のソフトウエア（図示されていない）を利用し得る。
【００２３】
論理的な機能を実施するための実行可能な命令の順序リストを含むソフトウエアは、コンピューターベースのシステム、プロセッサを含むシステム、または命令実行システム、装置またはデバイスから選択的に命令を取り出し得、その命令を実行し得る他のシステムのような命令実行システム、装置またはデバイスによる、あるいはそれらに関連する使用のために、いずれのコンピューター読み取りが可能な（またはｓｉｇｎａｌ  ｂｅａｒｉｎｇ）媒体においても選択的に実施形態化され得る。本明細書の文脈において、「コンピューターベースの媒体」および／または「ｓｇｎａｌ  ｂｅａｒｉｎｇ媒体」は、命令実行システム、装置またはデバイスによる、またはそれらに関連する使用のために、プログラムを含み、蓄積し、通信し、伝播するか、または伝送し得るいずれの手段でもある。コンピューター読み取りが可能な媒体は、例えば、選択的に電子、磁気、光、電磁、赤外線または半導体システム、装置、デバイスまたは伝播媒体であり得るが、これらに限定されない。より詳細な実施例はコンピューター読み取りが可能な媒体の「ｎｏｎ  ｅｘｈａｕ
ｓｉｖｅリスト」は、以下のものを含み得る。１本以上の線を有する電気接続「電子」、携帯型のコンピューターディスケット（磁気）、ＲＡＭ（電気）、読み取り専用記憶装置「ＲＯＭ」（電気）、消去可能なプログラム可能読取り専用記憶装置（ＥＰＲＯＭまたはフラッシュメモリ）（電気）、磁気ランダムアクセス記憶装置（「ＭＲＡＭ」）、Ｆｅｒｒｏランダムアクセス記憶装置（「ＦＲＡＭ」）、カルコゲニド記憶装置またはＯｖｏｎｉｃ  Ｕｎｉｖｅｒｓａｌ記憶装置（「ＯＵＭ」）、高分子記憶装置、ＭｉｃｒｏＥｌｅｃｔｒｏＭｅｃｈａｎｉｃａｌ（「ＭＥＭＳ」）記憶装置、および追記型３Ｄ記憶装置、光ファイバー（光）、および携帯型コンパクトディスク読み取り専用「ＣＤＲＯＭ」（光）を含み得る。コンピューター読み取りが可能な媒体は、プログラムがプリントされる紙または他の適切する媒体でさえあり得るということに留意されたい。例えば紙または他の媒体の光学式走査を介してプログラムが電子的に取り込まれると、プログラムはそれからコンパイルされ、解釈され、そうでなければ適切な様式で処理され、必要であればそれからコンピューターの記憶装置に蓄積される。
【００２４】
図５は、ビットストリーム変換器１０４によって実行される例示的な処理を図示するフローチャート５００である。この処理は、ハードウエア、ソフトウエア、または両方の組み合わせによって実行され得る。処理は、ビットストリーム変換器１０４によるデータのビットストリームのような情報の入力受信５０４とともに開始する（５０２）。同期化装置３００は、プリアンブル値Ｐａ、Ｐｂ、ＰｃおよびＰｄ（５０６）を決定する。決定５０８において、同期化装置３００内のコンパレータ装置（図示されていない）は、ビットストリームとプリアンブルパラメータＰａおよびＰｂ（５０８）とを比較する。決定５０８における結果がビットストリームとプリアンブル値ＰａおよびＰｂとの間のおおよその一致ではない場合、処理は５０９を経て工程５０４へ戻り、繰り返す。
【００２５】
代わりに、決定５０８における結果がビットストリームとプリアンブル値ＰａおよびＰｂとの間のおおよその一致である場合、カウンター（５１０）が始動し、ビットストリームのサンプリング周波数が決定される（５１２）。次に、ペイロード長さ検出器３０４は、ペイロードの長さを決定する（５１４）。次に、ゼロスタッフィング装置は、スタフィング部分を適切な数のゼロで埋め（５１６）、処理は工程５１８で終了する。
【００２６】
図６は、逆ビットストリーム変換器１１０によって実行される例示的な処理を図示するフローチャート６００である。例示的な処理は、ハードウエア、ソフトウエア、または両方の組み合わせによって実行され得る。処理は、逆ビットストリーム変換器１１０ｂによるビットストリームデータの入力および受信６０４とともに工程６０２で開始する。同期化装置４００は、プリアンブル値Ｐａ、Ｐｂ、ＰｃおよびＰｄ（６０６）を決定する。決定６０８において、同期化装置４００内のコンパレータ装置（図示されていない）は、ビットストリームとプリアンブルパラメータＰａおよびＰｂとを比較する。決定６０８における結果がビットストリームとプリアンブル値ＰａおよびＰｂとの間のおおよその一致ではない場合、処理は６１０を経て工程６０４へ戻り、繰り返す。
【００２７】
代わりに、決定６０８における結果がビットストリームとプリアンブル値ＰａおよびＰｂとの間のおおよその一致である場合、フォーマット検出器はビットストリーム６１２のフォーマットタイプＰｃを決定する。周波数検出器は、それから最初の圧縮されたオーディオ６１４のサンプリング周波数を決定する。次に、デコーダ１１２はビットストリーム６１６をデコードし、受信機、例えばデジタル／アナログ変換器（図示されていない）に送信される出力信号を生成する。ＰＬＬは、ビットストリーム６１８のサンプリング周波数を連続追跡し、最初のビットストリームの最初の周波数レート１１４を生成する。処理はそれから工程６２０において終了する。
【００２８】
本発明の多様な実施形態が記述されてきたが、本発明の範囲内でより多くの実施形態お
よび実施が有り得ることは、当業者には明らかである。
【図面の簡単な説明】
【００２９】
【図１】図１は、ビットストリーム変換システムの例示的な実施を図示するブッロック図である。
【図２】図２は、ビットストリームの例示的なフォーマットを図示するブロック図である。
【図３】図３は、図１のビットストリーム変換器要素の例示的な実施を図示するブロック図である。
【図４】図４は、図１の逆ビットストリーム変換器要素の例示的な実施を図示するブロック図である。
【図５】図５は、図３のビットストリーム変換器によって実行される例示的な処理を図示するフローチャートである。
【図６】図６は、図４の逆ビットストリーム変換機によって実行される例示的な処理を図示するフローチャートである。
【図１】
0004457125.tif 000003
【図２】
0004457125.tif 000004
【図３】
0004457125.tif 000005
【図４】
0004457125.tif 000006
【図５】
0004457125.tif 000007
【図６】
0004457125.tif 000008